(57)【要約】【課題】  本発明は、テレビジョン受像機及びテレビジョン受像機の制御方法に関し、例えばテレビジョン放送の受信機能を有するカーナビゲーション装置、携帯電話等に適用して、移動しながらテレビジョン放送を受信する場合に、現在受信可能なチャンネル及び番組の内容を容易に確認することができるようにする。【解決手段】  本発明は、子画面表示等の２画面表示によりテレビジョン放送の映像を表示するようにして、このテレビジョン放送に係る領域の表示を受信可能なチャンネルによる番組の一定の時間間隔による順次循環的な表示に切り換える。【選択図】        図１
2007043441.tif 000002
【特許請求の範囲】
【請求項１】
テレビジョン放送を受信してビデオ信号及びオーディオ信号を出力するチュナー部と、
前記チュナー部によるビデオ信号による映像を表示する画像表示部と、
前記画像表示部の表示に供する画像データを出力する画像データ出力部と、
前記チュナー部、前記画像表示部を制御する制御部とを有し、
前記制御部は、
前記画像表示部の表示画面の一部領域により前記チュナー部によるビデオ信号の映像を表示すると共に、残りの領域により前記画像データ出力部による画像データの画像を表示し、
巡回表示への動作の切り換えにより、前記チュナー部における受信チャンネルを順次切り換えて受信可能なチャンネルを順次検出し、前記一部の領域における表示を、前記受信可能なチャンネルによる番組の一定の時間間隔による順次循環的な表示に切り換える
ことを特徴とするテレビジョン受像機。
【請求項２】
前記制御部は、
ユーザーによる操作により、前記巡回表示に動作を切り換える
ことを特徴とする請求項１に記載のテレビジョン受像機。
【請求項３】
現在位置を検出する現在位置検出部を有し、
前記チュナー部は、
現在受信中のチャンネルにおけるエラーの検出により受信状態の劣化を検出して前記制御部に通知し、
前記制御部は、
前記チュナー部からの受信状態の劣化の通知により、前記現在位置検出部で検出される現在位置を判定し、該判定結果により受信状態の劣化が一時的なもので無い場合に、前記巡回表示に動作を切り換える
ことを特徴とする請求項１に記載のテレビジョン受像機。
【請求項４】
前記画像表示部にタッチパネルを有し、
前記制御部は、
前記巡回表示において、前記タッチパネルを介して前記一部の領域における表示の選択が検出されると、前記巡回表示を中止し、前記一部の領域で表示中のチャンネルによる番組の映像を継続して前記一部の領域で表示する
ことを特徴とする請求項１に記載のテレビジョン受像機。
【請求項５】
表示画面の一部領域により、テレビジョン放送によるビデオ信号の映像を表示し、残りの領域により画像を表示する２画面表示のステップと、
前記他方の領域により、受信可能なテレビジョン放送による番組を一定の時間間隔による順次循環的に表示する巡回表示のステップと、
前記２画面表示のステップによる表示と、前記巡回表示のステップによる表示とで、表示部における表示を切り換える表示切り換えのステップとを有する
ことを特徴とするテレビジョン受像機の制御方法。
【発明の詳細な説明】
【技術分野】
【０００１】
本発明は、テレビジョン受像機及びテレビジョン受像機の制御方法に関し、例えばテレビジョン放送の受信機能を有するカーナビゲーション装置、携帯電話等に適用することができる。本発明は、子画面表示等の２画面表示によりテレビジョン放送の映像を表示するようにして、このテレビジョン放送に係る領域の表示を受信可能なチャンネルによる番組の一定の時間間隔による順次循環的な表示に切り換えることにより、移動しながらテレビジョン放送を受信する場合に、現在受信可能なチャンネル及び番組の内容を容易に確認することができるようにする。
【背景技術】
【０００２】
従来、カーナビゲーション装置は、テレビジョン放送を受信可能な機器が提供されており、このようなカーナビゲーション装置は、ユーザーによる操作に応動して、テレビジョン放送による映像を子画面によりナビゲーションに係る画像と共に表示していた。またリモートコマンダに設けられた数字キーの操作により、又はチャンネルアップダウンの操作子の操作により、受信チャンネルを切り換え、さらには所定の操作子の操作によりいわゆるサーチの処理を実行して受信チャンネルを切り換えていた。
【０００３】
このようなテレビジョン放送の受信機能を有する車載用の機器に関して、例えば特開平１０−１９０５００号公報には、受信チャンネルを順次切り換えて受信可能なチャンネルを検出し、この受信可能なチャンネルを一覧表示してユーザーによる選択を受け付ける工夫が提案されている。
【０００４】
ところでこのような車載装置により移動しながらテレビジョン放送を受信する場合、受信状態が種々に変化することになる。このような場合に、現在受信可能なチャンネル及び番組の内容を容易に確認することができれば、所望するテレビジョン放送を簡易かつ迅速に見つけ出すことができれば、便利であると考えられる。
【特許文献１】特開平１０−１９０５００号公報
【発明の開示】
【発明が解決しようとする課題】
【０００５】
本発明は以上の点を考慮してなされたもので、移動しながらテレビジョン放送を受信する場合に、現在受信可能なチャンネル及び番組の内容を容易に確認することができるテレビジョン受像機及びテレビジョン受像機の制御方法を提案しようとするものである。
【課題を解決するための手段】
【０００６】
かかる課題を解決するため請求項１の発明においては、テレビジョン受像機に適用して、テレビジョン放送を受信してビデオ信号及びオーディオ信号を出力するチュナー部と、前記チュナー部によるビデオ信号による映像を表示する画像表示部と、前記画像表示部の表示に供する画像データを出力する画像データ出力部と、前記チュナー部、前記画像表示部を制御する制御部とを有し、前記制御部は、前記画像表示部の表示画面の一部領域により前記チュナー部によるビデオ信号の映像を表示すると共に、残りの領域により前記画像データ出力部による画像データの画像を表示し、巡回表示への動作の切り換えにより、前記チュナー部における受信チャンネルを順次切り換えて受信可能なチャンネルを順次検出し、前記一部の領域における表示を、前記受信可能なチャンネルによる番組の一定の時間間隔による順次循環的な表示に切り換える。
【０００７】
また請求項５の発明は、テレビジョン受像機の制御方法に適用して、表示画面の一部領域により、テレビジョン放送によるビデオ信号の映像を表示し、残りの領域により画像を表示する２画面表示のステップと、前記他方の領域により、前記受信可能なテレビジョン放送による番組を一定の時間間隔による順次循環的に表示する巡回表示のステップと、前記２画面表示のステップによる表示と、前記巡回表示のステップによる表示とで、表示部における表示を切り換える表示切り換えのステップとを有するようにする。
【０００８】
請求項１の構成により、テレビジョン受像機に適用して、テレビジョン放送を受信してビデオ信号及びオーディオ信号を出力するチュナー部と、前記チュナー部によるビデオ信号による映像を表示する画像表示部と、前記画像表示部の表示に供する画像データを出力する画像データ出力部と、前記チュナー部、前記画像表示部を制御する制御部とを有し、前記制御部は、前記画像表示部の表示画面の一部領域により前記チュナー部によるビデオ信号の映像を表示すると共に、残りの領域により前記画像データ出力部による画像データの画像を表示し、巡回表示への動作の切り換えにより、前記チュナー部における受信チャンネルを順次切り換えて受信可能なチャンネルを順次検出し、前記一部の領域における表示を、前記受信可能なチャンネルによる番組の一定の時間間隔による順次循環的な表示に切り換えれば、受信状態の劣化等により巡回表示に切り換えて、受信可能なチャンネルを確認し、さらには各チャンネルによる番組の内容を把握することができ、これにより移動しながらテレビジョン放送を受信する場合に、現在受信可能なチャンネル及び番組の内容を容易に確認することができる。
【０００９】
これにより請求項５の構成によれば、移動しながらテレビジョン放送を受信する場合に、現在受信可能なチャンネル及び番組の内容を容易に確認することができるテレビジョン受像機の制御方法を提供することができる。
【発明の効果】
【００１０】
本発明によれば、移動しながらテレビジョン放送を受信する場合に、現在受信可能なチャンネル及び番組の内容を容易に確認することができる。
【発明を実施するための最良の形態】
【００１１】
以下、適宜図面を参照しながら本発明の実施例を詳述する。
【実施例１】
【００１２】
（１）実施例の構成
図２は、本発明の実施例に係るカーナビゲーション装置を示すブロック図である。このカーナビゲーション装置１において、ＧＰＳ（Global Positioning System ）２は、現在位置を検出して現在位置の位置情報を出力し、ジャイロ３は、このカーナビゲーション装置１が搭載された車両の姿勢を検出し、車速センサ４は、車両の速度を検出して出力する。位置制御部５は、ジャイロ３、車速センサ４による検出結果によりＧＰＳ２で検出される現在位置の位置情報を補正してバスＢＵＳに出力する。これによりこのカーナビゲーション装置１は、ナビゲーションの処理に必要な現在位置の情報をバスＢＵＳに出力する。
【００１３】
ディスク装置６は、ＤＶＤ（Digital Versatile Disk）、コンパクトディスクによる光ディスクを再生してビデオデータ、オーディオデータ、地図データ等を出力し、ディスクコントローラ７は、このディスク装置６の動作を制御し、ディスク装置６から出力されるビデオデータ等をバスＢＵＳに出力する。これらによりこのカーナビゲーション装置１は、ユーザーに提供する映像コンテンツ、音楽コンテンツに係るデータ、ナビゲーションの処理に必要な地図データ等をバスＢＵＳに出力する。
【００１４】
ディジタルテレビシステム部８は、地上波ディジタルテレビジョン放送を受信してビデオデータ及びオーディオデータ等をバスＢＵＳに出力する。すなわち図３に示すように、ディジタルテレビシステム部８は、ディジタル放送アンテナ部９で受信されるテレビジョン放送波をＲＦ処理／復調部１０により選局して復調し、トランスポートストリームを出力し、トランスポートストリームデコード部（ＴＳデコード部）１１は、このトランスポートストリームをデコードしてビデオデータ及びオーディオデータを出力する。音声デコード部１２及び映像デコード部１３は、それぞれトランスポートストリームデコード部１１から出力されるオーディオデータ及びビデオデータをデータ伸長してバスＢＵＳに出力する。
【００１５】
モニタ１６は、映像コンテンツ、地図等を表示する表示装置であり、例えば液晶表示装置により形成される。グラフィックコントローラ１５は、中央処理ユニット（ＣＰＵ）１７の制御によりバスＢＵＳに出力されるビデオデータにより、さらには各種メニュー表示用の画像データにより、モニタ１６を駆動する。これによりこのカーナビゲーション装置１では、ナビゲーションの処理に係る各種画像、光ディスク、テレビジョン放送による映像コンテンツの映像をモニタ１６により表示する。
【００１６】
リモコンインターフェース（リモコンＩ／Ｆ）１９は、図示しないリモートコマンダに係るインターフェースであり、このリモートコマンダの操作を中央処理ユニット１７に通知する。またタッチパネルインターフェース（タッチパネルＩ／Ｆ）２０は、モニタ１６の表示画面に設けられたタッチパネルに係るインターフェースであり、タッチパネルの操作を中央処理ユニット１７に通知する。ボタンインターフェース（ボタンＩ／Ｆ）２１は、このカーナビゲーション装置１の操作パネルに設けられた各種操作子の操作に係るインターフェースであり、これら操作子の操作を中央処理ユニット１７に通知する。
【００１７】
中央処理ユニット１７は、このカーナビゲーション装置１の動作を制御する制御手段であり、ランダムアクセスメモリ（ＲＡＭ）２２にワークエリアを確保して図示しないリードオンリメモリに記録された所定のプログラムを実行することにより、ユーザーによる操作に応動して各部の動作を制御する。なおこれによりこの実施例において、この中央処理ユニット１７の処理に係るプログラムは、事前に、このカーナビゲーション装置１にインストールされて提供されるものの、これに代えてインターネット等のネットワークを介したダウンロードにより、また光ディスク、磁気ディスク、メモリカード等の各種記録媒体の記録により、このカーナビゲーション装置１に提供するようにしてもよい。
【００１８】
この一連の処理により、中央処理ユニット１７は、ユーザーによりナビゲーションに係る一連の処理が指示されると、位置制御部５で検出される現在位置により地図等をモニタ１６に表示して目的地の入力を受け付け、さらにはこの目的地までのルート検索の処理を実行する。またユーザーによる指示により、モニタ１６に地図を表示して目的地までユーザーを道案内する。またユーザーにより光ディスクによる映像コンテンツの視聴が指示されると、ディスク装置６を制御して光ディスクより得られる映像コンテンツの映像をモニタ１６により表示し、また図示しない音声処理系によりこの映像コンテンツの音声を出力する。
【００１９】
これに対してユーザーによりテレビジョン放送に係る映像コンテンツの視聴が指示されると、ディジタルテレビシステム部８の制御により、ユーザーの所望するテレビジョン放送を受信し、このテレビジョン放送の映像をモニタ１６により表示し、またこのテレビジョン放送の音声を出力する。このときユーザーによりナビゲーションに係る道案内の処理等の、モニタ１６に画像を表示する処理が指示されたままの状態で、テレビジョン放送に係る映像コンテンツの視聴が指示された場合、２画面表示によりテレビジョン放送による映像を表示する。ここでこの実施例では、この２画面表示に、図４に示すような子画面表示が適用される。
【００２０】
すなわちこの図４は、モニタ１６の表示画面を示す平面図であり、中央処理ユニット１７は、この場合、表示画面の下端に帯状にメニューの表示領域ＡＲ１を形成する。中央処理ユニット１７は、テレビジョン放送による映像コンテンツの視聴の中止を指示するメニュー（ＯＦＦ）、受信中のテレビジョン放送のチャンネル（１ＣＨ）、シークを指示するメニュー（ＳＥＥＫ）、リストの表示を指示するメニュー（ＬＩＳＴ）等を、このメニューの表示領域ＡＲ１に表示する。
【００２１】
また残りの領域にナビゲーションの処理に係る地図等を表示し、符号Ｐにより示す子画面によりテレビジョン放送の映像を表示する。なおこのテレビジョン放送の映像の下には、データ放送による電子番組表より取得した放送局名、放送番組名を併せて表示する。中央処理ユニット１７は、この状態で、ユーザーによる子画面へのタッチがタッチパネルにより検出されると、この子画面による映像の表示を全画面の表示に切り換える。
【００２２】
これに対して子画面表示において、ユーザーがシークを指示するメニュー（ＳＥＥＫ）を選択すると、中央処理ユニット１７は、図１の処理手順の実行により、受信可能なテレビジョン放送による番組を一定の時間間隔による順次循環的に表示する巡回表示に、この子画面の表示を切り換える。
【００２３】
すなわち中央処理ユニット１７は、この処理手順を開始すると、ステップＳＰ１からステップＳＰ２に移り、現在表示中のテレビジョン放送による映像をキャプチャーして子画面の表示を静止画による表示に切り換えた後、ディジタルテレビシステム部８にシーク開始を指示する。これによりディジタルテレビシステム部８は、受信チャンネルを順次変化させ、テレビジョン放送が受信されると受信チャンネルの変化を中止し、このテレビジョン放送に係るビデオデータ及びオーディオデータの出力を開始する。これによりディジタルテレビシステム部８は、それまで受信していたテレビジョン放送から、次チャンネルのテレビジョン放送に受信チャンネルを切り換える。
【００２４】
中央処理ユニット１７は、続くステップＳＰ３において、静止画による子画面の表示を、この次チャンネルのテレビジョン放送による映像に切り換え、また表示の切り換えに連動して放送局名、放送番組名の表示を切り換える。
【００２５】
続いて中央処理ユニット１７は、ステップＳＰ４に移り、子画面表示を次チャンネルの表示に切り換えて一定時間経過したか否か判断する。なおここでこの一定時間は、３〜５秒程度である。ここで否定結果が得られると、中央処理ユニット１７は、ステップＳＰ５に移り、ここでユーザーにより子画面表示が選択されたか否か判断する。ここで中央処理ユニット１７は、子画面表示の部位のユーザーによるタッチがタッチパネルにより検出されたか否か判定することにより、子画面表示の選択を検出する。
【００２６】
ここで否定結果が得られると、中央処理ユニット１７は、ステップＳＰ５からステップＳＰ４に戻り、ステップＳＰ４で肯定結果が得られると、ステップＳＰ２に戻る。これにより中央処理ユニット１７は、受信可能なテレビジョン放送を順次検出して、子画面により表示したテレビジョン放送の内容をこの受信可能なテレビジョン放送による番組に順次切り換え、ユーザーにより番組が選択されると、ステップＳＰ５からステップＳＰ６に移ってこの処理手順を終了する。
【００２７】
これに対してリストの表示を指示するメニュー（ＬＩＳＴ）の操作が検出されると、中央処理ユニット１７は、同様にして子画面による表示をキャプチャーによる静止画の表示に切り換えた後、受信可能なテレビジョン放送を順次検出する。さらにこの検出結果により図５に示すように、子画面により受信可能な放送局の一覧を表示する。なおここでは電子番組表から取得した放送局名、放送番組名、放送時間によりこの一覧表示が形成される。またこの一覧表示において、何れかの放送局の表示がユーザーによりタッチされると、子画面による表示を切り換えて、このユーザーにより選択された放送局による映像コンテンツの映像をこの子画面により提供する。これに対してこの放送局の表示におけるユーザーのタッチが連続した２回のタッチによるものの場合、このユーザーにより選択された放送局による映像コンテンツの映像を全画面によりユーザーに提供する。なお中央処理ユニット１７は、この一覧表示に係る受信可能なチャンネルの検出処理を、一覧表示中にバックグラウンドにより継続して実行し、受信可能なチャンネルが変化すると、この変化を一覧表示に反映させる。
【００２８】
（２）実施例の動作
以上の構成において、このカーナビゲーション装置１では、ユーザーによるナビゲーションに係る一連の指示により、モニタ１６に地図等が表示されて目的地の入力が受け付けられ、さらに中央処理ユニット１７による処理によりこの目的地までのルート検索の処理が実行され、さらにこのルート検索により検出されたルートによりモニタ１６に地図等を表示してナビゲーションの処理が実行される。またユーザーにより光ディスクによる映像コンテンツの視聴が指示されると、中央処理ユニット１７によるディスク装置６の制御により、光ディスクから映像コンテンツのビデオデータ及びオーディオデータが再生されてユーザーに提供される。またユーザーによりテレビジョン放送に係る映像コンテンツの視聴が指示されると、中央処理ユニット１７によるディジタルテレビシステム部８の制御により、ユーザーの所望するテレビジョン放送が受信され、このテレビジョン放送の映像がモニタ１６により表示される。
【００２９】
このカーナビゲーション装置１では、モニタ１６に画像を表示する処理が指示されたままの状態で、このようなテレビジョン放送に係る映像コンテンツの視聴が指示されると、子画面表示による２画面表示によりテレビジョン放送による映像がモニタ１６により表示される。またユーザーによりサーチのメニューが選択されると、受信可能なテレビジョン放送による番組を一定の時間間隔による順次循環的に表示する巡回表示に、この子画面の表示が切り換えられる。
【００３０】
これによりユーザーは、巡回表示により、受信可能なチャンネルによる番組の内容を確認することができ、移動しながらテレビジョン放送を受信する場合に、現在受信可能なチャンネル及び番組の内容を容易に確認することができる。
【００３１】
これによりユーザーにおいては、例えば受信状態が劣化した場合に、受信状態の良好な放送局の番組であって、興味のある番組を迅速かつ簡易に検出して所望する番組を選択することができる。また例えばそれ迄、特に見たい番組が存在しないような場合等に、見たい番組の放送の開始を即座に見つけ出して表示を切り換えることができ、これらにより使い勝手を向上することができる。
【００３２】
すなわちこのカーナビゲーション装置１では、この巡回表示によりユーザーがタッチパネルを操作して子画面を選択すると、子画面における巡回表示が中止され、この子画面で表示中のチャンネルによる番組の映像が継続して表示され、これによりユーザーは、所望する番組を簡易かつ確実に選択することができる。
【００３３】
（３）実施例の効果
以上の構成によれば、子画面表示等の２画面表示によりテレビジョン放送の映像を表示するようにして、このテレビジョン放送に係る領域の表示を受信可能なチャンネルによる番組の一定の時間間隔による順次循環的な表示に切り換えることにより、移動しながらテレビジョン放送を受信する場合に、現在受信可能なチャンネル及び番組の内容を容易に確認することができる。
【００３４】
またこの表示の切り換えをユーザーによる操作により実行することにより、必要に応じて他の受信可能なチャンネル、番組の内容を確認することができる。
【００３５】
またこの巡回表示において、タッチパネルを介して巡回表示に係る一部の領域における表示の選択が検出されると、巡回表示を中止し、この一部の領域で表示中のチャンネルによる番組の映像を継続してこの一部の領域で表示することにより、所望する番組を簡易かつ確実に選択することができる。
【実施例２】
【００３６】
図６は、本発明の実施例に係るカーナビゲーション装置における中央処理ユニットの処理手順を示すフローチャートである。この実施例に係るカーナビゲーション装置は、この図６に示す処理手順に係る構成が異なる点を除いて、実施例１について上述したカーナビゲーション装置と同一に構成される。
【００３７】
ここでこの中央処理ユニットは、ユーザーによる動作モードの設定により、この図６に示す処理手順を実行し、これにより子画面における表示を、図１の処理に係る巡回表示に自動的に切り換える。
【００３８】
すなわち中央処理ユニットは、ユーザーによる動作モードの設定によりこの処理手順を開始してステップＳＰ１１からステップＳＰ１２に移り、ここでディジタルテレビシステム部８で検出されるエラーの監視により、エラーの発生が一定レベル以上となったか否か判断し、これにより受信状態の劣化を検出する。ここで否定結果が得られると、中央処理ユニットは、ステップＳＰ１２を繰り返すのに対し、ステップＳＰ１２で肯定結果が得られると、ステップＳＰ１３に移る。ここで中央処理ユニットは、エラーの発生が一定レベル以上となって、一定時間経過したか否か判断する。なおここでこの一定時間は、地図データによっては電界強度の一時的な低下を判定困難な程度の短い区間の移動に供する時間より十分に長い一定の時間に設定される。なおこのような地図データによっては電界強度の一時的な低下を判定困難な程度の短い区間は、例えば線路を横切る為に線路の下を潜る区間等である。
【００３９】
ここで否定結果が得られると、中央処理ユニットは、ステップＳＰ１４に移り、エラーの発生が一定レベル以下に戻って、受信状態が改善されたか否か判断し、ここで肯定結果が得られると、ステップＳＰ１２に戻る。これに対してエラー発生が一定レベル以下に戻らない場合、ステップＳＰ１４で否定結果が得られることにより、中央処理ユニットは、ステップＳＰ１３に戻る。これにより中央処理ユニットは、テレビジョン放送の受信におけるエラーレートの低下が一定時間以上継続すると、ステップＳＰ１３からステップＳＰ１５に移る。
【００４０】
このステップＳＰ１５において、中央処理ユニットは、位置制御部５で検出される現在位置により地図データを検索し、現在位置における受信状態の劣化が、一時的なものか否か判断する。具体的に、中央処理ユニットは、現在位置がトンネル内である場合、受信状態の劣化が一時的なものと判定する。なおこの場合に、受信中のテレビジョン放送に係る放送施設の位置情報を別途取得し、この放送施設と現在位置との相対的な位置関係により、現在位置における受信状態の劣化が、一時的なものか否か判断するようにしてもよい。具体的には、テレビジョン放送波の送出に供している放送用のアンテナに対して、現在位置が一時的に山陰に入っている場合等である。因みに、このような放送施設の位置情報にあっては、ディジタル放送におけるデータ放送により通知するようにしてもよく、また別途、インターネット等のネットワークへのアクセスにより通知するようにしてもよい。
【００４１】
しかして中央処理ユニットは、このステップＳＰ１５で肯定結果が得られると、ステップＳＰ１２に戻るのに対し、ステップＳＰ１５で否定結果が得られると、ステップＳＰ１６に移って、図１について上述した巡回表示の処理を実行する。
【００４２】
この実施例によれば、受信状態の劣化の検出により巡回表示の処理を自動的に開始することにより、ユーザーの負担を軽減して、移動しながらテレビジョン放送を受信する場合に、現在受信可能なチャンネル及び番組の内容を容易に確認することができる。
【００４３】
またこのとき現在位置を基準にして一時的な受信状態の劣化を検出し、受信状態の劣化が一時的なもので無い場合に、巡回表示の処理を開始することにより、例えばトンネルに入って一時的にテレビジョン放送波を受信できなくなったような場合の、余計な巡回表示の処理の開始を防止することができ、これによりユーザーの使い勝手を向上することができる。
【実施例３】
【００４４】
なお上述の実施例においては、本発明をカーナビゲーション装置に適用する場合について述べたが、本発明はこれに限らず、例えばＤＶＤによる光ディスクの再生機能を有する車載用のテレビジョン受像機、さらにはいわゆるテレビ付き携帯電話によるテレビジョン受像機等にも広く適用することができる。なお携帯電話の場合にあっては、電子メールとテレビジョン放送の映像とを２画面表示する場合が考えられる。
【産業上の利用可能性】
【００４５】
本発明は、例えばテレビジョン放送の受信機能を有するカーナビゲーション装置、携帯電話等に適用することができる。
【図面の簡単な説明】
【００４６】
【図１】本発明の実施例に係るカーナビゲーション装置の中央処理ユニットの処理手順を示すフローチャートである。
【図２】本発明の実施例に係るカーナビゲーション装置を示すブロック図である。
【図３】図２のカーナビゲーション装置におけるディジタルテレビシステム部を示すブロック図である。
【図４】図２のカーナビゲーション装置における表示を示す平面図である。
【図５】受信可能チャンネルの一覧表示を示す平面図である。
【図６】実施例２に係るカーナビゲーション装置の中央処理ユニットの処理手順を示すフローチャートである。
【符号の説明】
【００４７】
１……カーナビゲーション装置、２……ＧＰＳ、３……ジャイロ、４……車速センサ４……位置制御部、１６……モニタ、１７……中央処理ユニット
【図１】
2007043441.tif 000003
【図２】
2007043441.tif 000004
【図３】
2007043441.tif 000005
【図４】
2007043441.tif 000006
【図５】
2007043441.tif 000007
【図６】
2007043441.tif 000008